(57)【要約】   【課題】  吊り下げるだけで容易に伸長使用状態となり、使用終了時の回収時に簡単に短縮させて短縮収納状態にできる吊下梯子を提供する。  【解決手段】  一対の筒状支柱体１１０と横桟体１２２を備えた梯子基本部材１０１を基本単位とし、最上段の梯子基本部材１０１から最下段の梯子基本部材１０２にかけて筒状支柱体１１０の筒軸線方向に摺動可能に順次接続し、梯子基本部材１０１を収縮した短縮収納状態と梯子基本部材１０１が伸長した伸長使用状態を持つ。伸縮操作体１５０が筒状体１１０の内部の中空を通って最下段の摺動可能な梯子基本部材１０２に取り付けられている。伸縮操作体１５０を緩めることで最下段の摺動可能な梯子基本部材１０２が下降し、伸縮操作体を引き上げることで最下段の摺動可能な梯子基本部材１０２が上昇する。【選択図】  図１
2019112777.tif 000002
【特許請求の範囲】
【請求項１】
所定の間隔を隔てて互いに平行に配置された一対の筒状支柱体と前記筒状支柱体の間に設けられた横桟を備えた梯子基本部材を基本単位とし、前記梯子基本部材同士が前記筒状支柱体の筒軸線方向に入れ子状態で摺動可能に順次接続したものであり、前記梯子基本部材が摺動収納された短縮収納状態と、前記梯子基本部材が摺動伸長した伸長使用状態を持つ伸縮式の梯子本体と、
前記梯子基本部材のうち前記摺動可能の最下段の前記梯子基本部材に接続され、前記最下段の梯子基本部材の昇降操作を介して前記梯子本体の伸縮を操作できるよう配線された伸縮操作体と、
前記梯子本体を吊下箇所に対して吊り下げて掛け止めする掛止具を備え、
前記伸縮操作体が、前記梯子本体の前記筒状支柱体の中空の内部を通り、前記最下段の前記梯子基本部材にまで到達するよう配線されていることを特徴とする伸縮可能な吊下梯子。
【請求項２】
前記伸縮操作体の前記配線が、前記梯子本体の前記筒状支柱体の中空の内部を通り、上段に対して摺動可能な前記最下段の前記梯子基本部材の一部に接続されたものであることを特徴とする請求項１に記載の伸縮可能な吊下梯子。
【請求項３】
前記伸縮操作体が左右１本ずつあり、前記伸縮操作体の前記配線が、左右各々の前記伸縮操作体が前記梯子本体の左右各々の前記筒状支柱体の中空の内部を通り、上段に対して摺動可能な前記最下段の前記梯子基本部材の横桟の中で左右が結ばれるよう接続されたものであることを特徴とする請求項１に記載の伸縮可能な吊下梯子。
【請求項４】
前記梯子基本部材同士の前記筒状支柱体が筒軸線方向に入れ子状態で摺動可能に順次接続されている構造において、前記筒状支柱体の径が上段よりも下段の方が大きくなっていることを特徴とする請求項１から３のいずれか１項に記載の伸縮可能な吊下梯子。
【請求項５】
当段と下段の前記梯子基本部材同士が摺動して前記伸長使用状態になったときに、前記当段の前記梯子基本部材の前記筒状支柱体の外壁面の一部と、前記下段の前記梯子基本部材の前記筒状支柱体の内壁面の一部が当接し合って前記梯子基本部材同士を摺動方向に摺動不能に係止する係止機構を備え、
伸長時は、前記掛止具を介して前記吊下箇所に吊り下げると各段の前記梯子基本部材同士が摺動して下方に伸長し、前記係止機構によって前記伸長使用状態で固定され、
回収時は、前記伸縮操作体の引き上げにより摺動可能な前記最下段の前記梯子基本部材から順次引き上げられ、前記係止機構が係止する方向とは逆の方向に前記梯子基本部材同士が摺動して下段から順々と前記梯子本体を前記短縮収納状態に変化させてゆくことが可能であることを特徴とする請求項４に記載の伸縮可能な伸縮可能な吊下梯子。
【請求項６】
当段と下段の前記梯子基本部材同士が摺動して前記伸長使用状態になったことを契機として前記梯子基本部材同士を一時的に摺動不能に固定するロック機構と、
外部からの操作を契機として前記ロック機構のロック状態を解除し、当段と下段の前記梯子基本部材同士を摺動可能にするロック解除機構と、
前記掛止具を介して前記吊下箇所に吊り下げると各段の前記梯子基本部材同士が摺動して下方に伸長し、前記ロック機構によって前記伸長使用状態で固定され、前記ロック解除機構により解除された段の前記梯子基本部材同士が摺動可能となり前記伸長使用状態から前記短縮収納状態に変化し、
前記ロック解除機構への外部からの前記操作が、前記伸縮操作体の引き上げにより前記最下段の前記ロック解除機構の解除操作を行い、前記最下段の前記横桟のロックを解除して摺動可能とし、前記最下段の梯子基本部材から順次引き上げられ、上段の前記ロック解除機構への衝突による前記ロック機構のロック解除を繰り返し、下段から順々と前記梯子本体を前記短縮収納状態に変化させてゆくことが可能であることを特徴とする請求項４に記載の伸縮可能な伸縮可能な吊下梯子。
【請求項７】
前記梯子基本部材同士の前記筒状支柱体が筒軸線方向に入れ子状態で摺動可能に順次接続されている構造において、前記筒状支柱体の径が上段よりも下段の方が小さくなっていることを特徴とする請求項１から３のいずれか１項に記載の伸縮可能な吊下梯子。
【請求項８】
当段と下段の前記梯子基本部材同士が摺動して前記伸長使用状態になったときに、前記当段の前記梯子基本部材の前記筒状支柱体の内壁面の一部と、前記下段の前記梯子基本部材の前記筒状支柱体の外壁面の一部が当接し合って前記梯子基本部材同士を摺動方向に摺動不能に係止する係止機構を備え、
伸長時は、前記掛止具を介して前記吊下箇所に吊り下げると各段の前記梯子基本部材同士が摺動して下方に伸長し、前記係止機構によって前記伸長使用状態で固定され、
回収時は、前記伸縮操作体の引き上げにより摺動可能な前記最下段の前記梯子基本部材から順次引き上げられ、前記係止機構が係止する方向とは逆の方向に前記梯子基本部材同士が摺動して下段から順々と前記梯子本体を前記短縮収納状態に変化させてゆくことが可能であることを特徴とする請求項７に記載の伸縮可能な伸縮可能な吊下梯子。
【請求項９】
当段と下段の前記梯子基本部材同士が摺動して前記伸長使用状態になったことを契機として前記梯子基本部材同士を一時的に摺動不能に固定するロック機構と、
外部からの操作を契機として前記ロック機構のロック状態を解除し、当段と下段の前記梯子基本部材同士を摺動可能にするロック解除機構と、
前記掛止具を介して前記吊下箇所に吊り下げると各段の前記梯子基本部材同士が摺動して下方に伸長し、前記ロック機構によって前記伸長使用状態で固定され、前記ロック解除機構により解除された段の前記梯子基本部材同士が摺動可能となり前記伸長使用状態から前記短縮収納状態に変化し、
前記ロック解除機構への外部からの前記操作が、前記伸縮操作体の引き上げにより前記最下段の前記ロック解除機構の解除操作を行い、前記最下段の前記横桟のロックを解除して摺動可能とし、前記最下段の梯子基本部材から順次引き上げられ、上段の前記ロック解除機構への衝突による前記ロック機構のロック解除を繰り返し、下段から順々と前記梯子本体を前記短縮収納状態に変化させてゆくことが可能であることを特徴とする請求項７に記載の伸縮可能な伸縮可能な吊下梯子。
【請求項１０】
前記ロック機構が、付勢バネと前記付勢バネで付勢が付けられて摺動する嵌入ピンであって、前記梯子基本部材の前記筒状支柱体の所定箇所に穿たれている嵌入孔に対して嵌入することで前記ロック状態となり、前記嵌入孔から抜けることで前記ロック解除状態となる構造であり、
前記ロック解除機構が、前記横桟の下面に組み込まれて突出し、前記ロック機構の前記嵌入ピンの動きと連動するレバー構造体であり、前記嵌入ピンが前記嵌入孔に対して嵌入する方向に動けば前記レバー構造体が下方に向けて突出し、前記レバー構造体を前記横桟の下面に押し込めば前記嵌入ピンが前記嵌入孔から抜け出る方向に動くよう連動することを特徴とする請求項６または９に記載の伸縮可能な伸縮可能な吊下梯子。
【発明の詳細な説明】
【技術分野】
【０００１】
本発明は長さ方向に伸縮自在の吊下梯子に関する。
【背景技術】
【０００２】
一般的に、梯子は広く使用されている。立て掛け梯子もあれば吊下梯子もある。ここでは、吊り下げ梯子とは平常時には壁面に固設されておらず、使用時に動的に吊下箇所から吊り下げられ、使用が終了すれば吊下箇所から取り外されて回収されるタイプを指している。例えば、作業において高所から下方の作業現場へ降りてゆく移動手段として作業時に吊下箇所に吊下される作業用吊り下げ梯子や、建物や電車などお客が外部に避難する必要が生じた緊急時に下方へ避難するための避難手段として吊下箇所に吊下される避難用吊り下げ梯子などがある。その他にも用途に応じて様々なバリエーションがあり得る。
【０００３】
従来技術において、吊り下げ梯子として幾つかの構造が知られている。
例えば、特開２００６−２９９８００号公報（特許文献１）に開示された建物のベランダなどに設置される避難梯子が知られている。この避難梯子は、図１５に示すように、上下に隣接する２本の横桟１の両端部同士を連結する折り畳み自在な縦材２を横桟端部付近に穿設したスリット１ａを通して横桟の内部に導き、横桟と結合ピン４によって結合することにより不使用時には縦材が横桟の内部に折り畳まれて収納され、また使用時には、伸長垂下した縦材の下側部材２ｂが、縦材と横桟の結合ピンに配設したスプリングバネの先端が延伸された端部の先端に接触して内側にわずかに押し戻される力を受け、避難はしご使用後片づける際、縦材が内側に確実・容易に折り畳まれるように工夫したものである。
【０００４】
【特許文献１】特開２００１−３１５６４０号公報
【発明の概要】
【発明が解決しようとする課題】
【０００５】
このような吊り下げ梯子は、用途に応じて様々な構造や特徴が求められるが、概ね、以下の特徴が要求される。
第１の特徴は、収納時の状態がコンパクトであり可搬性に優れていることである。収納時（不使用時）には嵩張らずコンパクトに短縮収納状態となって収納保管が容易で、取り出して持ち運ぶ際にも軽くて可搬性に優れていることが要求される。
第２の特徴は、使用時のセッティングが簡単なことである。吊下箇所から吊り下げるだけで簡単に伸長して伸長使用状態となることである。
第３の特徴は、使用時の強度、安定性、利便性である。吊下箇所から吊り下げてセッティングした状態において、利用者の体重をしっかりと支持できるよう構造的強度が確保されているとともに、使用時に揺動せず、横桟の上に足を載せやすい構造であるなどの使用利便性が確保されていることが要求される。
第４の特徴は、使用終了後に収納状態へ再度戻す作業が簡単なことである。吊下箇所から吊り下げて使用した後、収納状態へ再度戻す作業が必要となるがその回収作業が簡単であることが好ましい。
【０００６】
ここで、上記の吊り下げ梯子のうち、作業用吊り下げ梯子と避難用吊り下げ梯子では、上記列挙した特徴に対する要望の強さが異なる。
避難用吊り下げ梯子は、火災など緊急時の避難が最大の目的であるため、第２の特徴と第３の特徴が最重要であり、他の第１の特徴や第４の特徴の優先度は低い。
しかし、作業用の吊り下げ梯子は、上記の第２の特徴と第３の特徴が重要であることには変わりはないが、作業効率の点から上記の第１の特徴と第４の特徴も重要となってくる。
【０００７】
上記した特許文献１の特開２００６−２９９８００号公報に開示された建物のベランダなどに設置される避難梯子は、第１の特徴である収納時の状態がコンパクトであり可搬性に優れている点は満たされており、第２の使用時のセッティングが簡単な点も満たされているが、第３の特徴である使用時の安定性や利便性は欠いている。全体として搖動しやすく、また横桟の面積が小さく、壁面に沿って吊下した場合には横桟に足を載せ置くことが困難である。また、第４の特徴である使用終了後に収納状態へ再度戻す作業の容易性については、ある程度工夫はされているものの、いまだ簡単なものとは言えない。全般的に避難梯子は、特徴３と特徴４が満たされていない。
【０００８】
本発明は上記のような実情に鑑みてなされたもので、収納状態でコンパクトに収納でき可搬性に優れ、使用時には作業箇所に対して吊り下げるだけで容易に伸長使用状態となる操作性に優れ、伸長使用状態において構造的強度が確保されたものであるとともに、使用終了時の回収時に簡単に短縮させて短縮収納状態にできる吊下梯子を提供することを目的とする。
【課題を解決するための手段】
【０００９】
上記目的を達成するため、本発明の伸縮可能な吊下梯子は、所定の間隔を隔てて互いに平行に配置された一対の筒状支柱体と前記筒状支柱体の間に設けられた横桟を備えた梯子基本部材を基本単位とし、前記梯子基本部材同士が前記筒状支柱体の筒軸線方向に入れ子状態で摺動可能に順次接続したものであり、前記梯子基本部材が摺動収納された短縮収納状態と、前記梯子基本部材が摺動伸長した伸長使用状態を持つ伸縮式の梯子本体と、前記梯子基本部材のうち前記摺動可能の最下段の前記梯子基本部材に接続され、前記最下段の梯子基本部材の昇降操作を介して梯子本体を伸縮できるよう配線された伸縮操作体と、前記梯子本体を吊下箇所に対して吊り下げて掛け止めする掛止具を備え、前記伸縮操作体が、前記梯子本体の前記筒状支柱体の中空の内部を通り、前記最下段の前記梯子基本部材にまで到達するよう配線されていることを特徴とする伸縮可能な吊下梯子である。
上記構成により、伸縮操作体で引き上げるだけで、使用終了後に収納状態へ再度戻す作業が簡単な構造とすることができ、かつ、伸縮操作体が外には剥き出しになっていないため、作業時に作業者が伸縮操作体に絡まったりすることがなく、作業者の昇降を邪魔することがない。
【００１０】
伸縮操作体としては、梯子本体の重量の引張に耐え得る構造的強度を持ち、昇降させやすい素材であれば良く、例えば、丈夫なワイヤー、チェーン、紐体などがある。
伸縮操作体の配線であるが、伸縮操作体が左右１本ずつあり、左右各々の伸縮操作体がそれぞれ梯子本体の筒状支柱体の中空の内部を通り、最下段の梯子基本部材の一部に接続する配線方法がある。
また、伸縮操作体が左右１本ずつあり、左右各々の伸縮操作体がそれぞれ梯子本体の左右の筒状支柱体の中空の内部を通り、最下段の梯子基本部材の横桟の中において左右が結ばれるよう接続する配線も可能である。この場合、梯子基本部材自体には接続されないが、左右の伸縮操作体が最下段の梯子基本部材の横桟の内部で結ばれているので、ループ状となっており、左右の伸縮操作体を同時に引き上げれば最下段の梯子基本部材の昇降を操作できる。
【００１１】
ここで、梯子基本部材同士の筒状支柱体の接続には２パターンあり得る。
第１のパターンは、梯子基本部材同士の筒状支柱体が筒軸線方向に入れ子状態で摺動可能に順次接続されている構造において、前記筒状支柱体の径が上段よりも下段の方が大きくなっているパターンである。つまり、下側の段の筒状支柱体の中に上側の段の筒状支柱体があり外側から繰り出されていく仕組みである。
【００１２】
この第１のパターンにおいて、伸縮の構造として、係止式の伸縮構造と、ロック式の伸縮構造があり得る。
係止式の伸縮構造は、当段と下段の梯子基本部材同士が摺動して伸長使用状態になったときに、当段の梯子基本部材の筒状支柱体の外壁面の一部と、下段の梯子基本部材の筒状支柱体の内壁面の一部が当接し合って梯子基本部材同士を摺動方向に摺動不能に係止する係止機構を備え、伸長時は、掛止具を介して吊下箇所に吊り下げると各段の梯子基本部材同士が摺動して下方に伸長し、係止機構によって伸長使用状態で固定される。一方、回収時は、伸縮操作体の引き上げにより摺動可能な最下段の梯子基本部材から順次引き上げられ、係止機構が係止する方向とは逆の方向に梯子基本部材同士が摺動して下段から順々と梯子本体を短縮収納状態に変化させてゆくことが可能となる仕組みである。
【００１３】
次に、ロック式の伸縮構造は、当段と下段の前記梯子基本部材同士が摺動して前記伸長使用状態になったことを契機として前記梯子基本部材同士を一時的に摺動不能に固定するロック機構と、外部からの操作を契機として前記ロック機構のロック状態を解除し、当段と下段の前記梯子基本部材同士を摺動可能にするロック解除機構と、前記掛止具を介して前記吊下箇所に吊り下げると各段の前記梯子基本部材同士が摺動して下方に伸長し、前記ロック機構によって前記伸長使用状態で固定され、前記ロック解除機構により解除された段の前記梯子基本部材同士が摺動可能となり前記伸長使用状態から前記短縮収納状態に変化し、前記ロック解除機構への外部からの前記操作が、前記伸縮操作体の引き上げにより前記最下段の前記ロック解除機構の解除操作を行い、前記最下段の前記横桟のロックを解除して摺動可能とし、前記最下段の梯子基本部材から順次引き上げられ、上段の前記ロック解除機構への衝突による前記ロック機構のロック解除を繰り返し、下段から順々と前記梯子本体を前記短縮収納状態に変化させてゆくことが可能であることを特徴とするものである。
【００１４】
次に、第２のパターンは、梯子基本部材同士の筒状支柱体が筒軸線方向に入れ子状態で摺動可能に順次接続されている構造において、前記筒状支柱体の径が上段よりも下段の方が小さくなっているパターンである。つまり、下側の段の筒状支柱体が上側の段の筒状支柱体の中から繰り出されていく仕組みである。
【００１５】
この第２のパターンにおいても、伸縮の構造として、係止式の伸縮構造と、ロック式の伸縮構造があり得る。
係止式の伸縮構造は、当段と下段の前記梯子基本部材同士が摺動して前記伸長使用状態になったときに、前記当段の前記梯子基本部材の前記筒状支柱体の内壁面の一部と、前記下段の前記梯子基本部材の前記筒状支柱体の外壁面の一部が当接し合って前記梯子基本部材同士を摺動方向に摺動不能に係止する係止機構を備え、伸長時は、前記掛止具を介して前記吊下箇所に吊り下げると各段の前記梯子基本部材同士が摺動して下方に伸長し、前記係止機構によって前記伸長使用状態で固定される。回収時は、前記伸縮操作体の引き上げにより摺動可能な前記最下段の前記梯子基本部材から順次引き上げられ、前記係止機構が係止する方向とは逆の方向に前記梯子基本部材同士が摺動して下段から順々と前記梯子本体を前記短縮収納状態に変化させてゆく仕組みとなっている。
【００１６】
次に、ロック式の伸縮構造は、当段と下段の前記梯子基本部材同士が摺動して前記伸長使用状態になったことを契機として前記梯子基本部材同士を一時的に摺動不能に固定するロック機構と、外部からの操作を契機として前記ロック機構のロック状態を解除し、当段と下段の前記梯子基本部材同士を摺動可能にするロック解除機構と、前記掛止具を介して前記吊下箇所に吊り下げると各段の前記梯子基本部材同士が摺動して下方に伸長し、前記ロック機構によって前記伸長使用状態で固定され、前記ロック解除機構により解除された段の前記梯子基本部材同士が摺動可能となり前記伸長使用状態から前記短縮収納状態に変化し、前記ロック解除機構への外部からの前記操作が、前記伸縮操作体の引き上げにより前記最下段の前記ロック解除機構の解除操作を行い、前記最下段の前記横桟のロックを解除して摺動可能とし、前記最下段の梯子基本部材から順次引き上げられ、上段の前記ロック解除機構への衝突による前記ロック機構のロック解除を繰り返し、下段から順々と前記梯子本体を前記短縮収納状態に変化させてゆくことが可能である仕組みとなっている。
【００１７】
なお、上記したロック式の伸縮構造では、前記ロック機構が、付勢バネと前記付勢バネで付勢が付けられて摺動する嵌入ピンであって、前記梯子基本部材の前記筒状支柱体の所定箇所に穿たれている嵌入孔に対して嵌入することで前記ロック状態となり、前記嵌入孔から抜けることで前記ロック解除状態となる構造であり、前記ロック解除機構が、前記横桟の下面に組み込まれて突出し、前記ロック機構の前記嵌入ピンの動きと連動するレバー構造体であり、前記嵌入ピンが前記嵌入孔に対して嵌入する方向に動けば前記レバー構造体が下方に向けて突出し、前記レバー構造体を前記横桟の下面に押し込めば前記嵌入ピンが前記嵌入孔から抜け出る方向に動くよう連動するものとなっている。
上記構造であれば、横桟の上昇に伴ってレバー構造体を押し上げるだけで梯子基本部材が摺動可能となるため、梯子の使用終了時における回収・収納が簡単にできる。
なお、ロック解除機構が横桟の下面から下方に向けて突出した状態から横桟の下面内に収納されるようにしておけば、上下の横桟同士が当接し合うように収納することができ、短縮収納状態が極めてコンパクトに収まるものとなる。
【００１８】
次に、梯子と壁面との距離を保つため、筒状支柱体を吊下箇所の壁面から所定の距離を離す壁面当て体を筒状支柱体に対して適宜の間隔で設けた構成とすることが好ましい。壁面当てが壁面に当接して筒状支柱体や横桟と壁面との間隔を適度に保つため、筒状支柱体を把持したり横桟に足を載せ置いたりしやすくなり、作業効率が向上する。
【００１９】
また、吊下箇所に吊下された梯子を利用して昇降しやすいように、筒状支柱体が掛止具の高さより高い位置まで上方に延設された構成とし、当該延設箇所に作業員が把持するための把持部を設けることが好ましい。吊下箇所から把持部が上方に突出した状態となれば作業者が把持部を掴みながら昇降することができ、作業効率が向上する。
【発明の効果】
【００２０】
本発明の伸縮可能な吊下梯子によれば、梯子本体を展開する際には吊下箇所に掛止具を掛け止めて下に垂下させるだけで梯子基本部材同士が摺動し合って重力に従って展開し、回収時は、梯子基本部材の上昇に伴って横桟の上面で一つ上段のレバー構造体を押し上げてロック機構のロック状態が解除され、次々と梯子基本部材が摺動可能となって回収・収納が簡単にできる。
【図面の簡単な説明】
【００２１】
【図１】実施例１にかかる伸長使用状態における吊下梯子１００の構成例を模式的に示す図である。
【図２】内側の筒状体１１０の下部付近の外側膨出部１１２と、外側の筒状体１１０の上部付近の内側膨出部１１１との係止について説明する図である。
【図３】実施例１にかかる吊下梯子１００全体が伸長する様子を示す図である。
【図４】伸長使用状態にある吊下梯子１００を回収して短縮収納状態に変化させる手順を説明する図である。
【図５】実施例２にかかる伸長使用状態における吊下梯子１００の構成例を模式的に示す図である。
【図６】外側の筒状体１１０の下部付近の内側膨出部１１１と、内側の筒状体１１０の上部付近の外側膨出部１１２との係止について説明する図である。
【図７】実施例２にかかる吊下梯子１００全体が伸長する様子を示す図である。
【図８】伸長使用状態にある吊下梯子１００を回収して短縮収納状態に変化させる手順を説明する図である。
【図９】実施例３にかかる伸長使用状態における吊下梯子１００の構成例を模式的に示す図である。
【図１０】吊下梯子１００の展開時における、梯子基本部材１０１の接合部分のロック機構１３０によりロックが掛かる仕組みを簡単に示す図である。
【図１１】吊下梯子１００の回収時におけるロック解除機構１４０によりロック機構１３０のロックを解除する仕組みを簡単に示す図である。
【図１２】最下段のロック機構１３０を伸縮操作体１５０で操作してロックを解除する仕組みを簡単に示す図である。
【図１３】短縮収納状態にある吊下梯子１００を吊下箇所に吊下して短縮収納状態から展開して伸長使用状態とする手順を説明する図である。
【図１４】伸長使用状態にある吊下梯子１００を回収して短縮収納状態に変化させる手順を説明する図である。
【図１５】特開２００６−２９９８００号公報（特許文献１）に開示された建物のベランダなどに設置される避難梯子を示す図である。
【発明を実施するための最良の形態】
【００２２】
以下、図面を参照しつつ、本発明の伸縮可能な吊下梯子の実施例を説明する。
本発明の範囲は以下の実施例に示した具体的な形状、デザイン、個数、角度などには限定されないことは言うまでもない。
実施例１および実施例２として、係止式の伸縮構造をもち、回収時に、筒状支柱体内部に仕込まれた伸縮操作体を介して、摺動可能な最下段の基本梯子部材を引き上げて係止を開放しながら短縮状態にする構造例を説明する。
実施例１は、係止式の伸縮構造のうち、梯子基本部材同士の筒状支柱体１１０の径が上段よりも下段の方が大きくなっているパターン（第１のパターン）である。この第１のパターンは、図１から図４を参照しつつ説明する。
実施例２は、係止式の伸縮構造のうち、梯子基本部材同士の筒状支柱体１１０の径が上段よりも下段の方が小さくなっているパターン（第２のパターン）である。この第２のパターンは、図５から図８を参照しつつ説明する。
実施例３として、ロック式の伸縮構造をもち、回収時に、筒状支柱体内部に仕込まれた伸縮操作体を介して、摺動可能な最下段の基本梯子部材を引き上げてロックを外しながら短縮状態にする構造例を説明する。
【実施例１】
【００２３】
実施例１は、筒状支柱体同士の摺動において係止式の伸縮構造をもつものである。
伸長時には筒状支柱体同士の内部における係止構造で係止し、回収時には筒状支柱体内部に仕込まれた伸縮操作体を介して摺動可能な最下段の基本梯子部材を引き上げて係止を開放しながら短縮状態にする構造例となっている。
【００２４】
図１は、実施例１にかかる伸長使用状態における吊下梯子１００の構成例を模式的に示す図である。
図１（ａ）は伸長使用状態の吊下梯子１００の正面図（作業者が昇降する面）を示している。掛け止め具１７０は背面側に付いており、掛け止め具１７０以外は正面と背面は同様で良い。
本発明の吊下梯子１００は、図１に示すように、梯子基本部材１０１を基本単位として上下方向に複数個を連続的に組み合わせたものとなっている。なお、梯子基本部材１０１同士は上下方向にスライド可能な構造となっており、吊下梯子１００全体として、伸縮式のものとなっている。梯子基本部材の筒状支柱体１１０は筒軸線方向に入れ子状態で摺動可能に順次接続したものとなっている。
【００２５】
この梯子基本部材の筒状支柱体１１０の入れ子状態の接続にはパターンが２つある。
第１のパターンは、梯子基本部材同士の筒状支柱体１１０の径が上段よりも下段の方が大きくなっているパターンである。実施例１として、図１から図４を参照しつつ、この第１のパターンの構造を説明する。
第２のパターンは、梯子基本部材同士の筒状支柱体１１０の径が上段よりも下段の方が小さくなっているパターンである。実施例２として、図５から図８を参照しつつ、この第２のパターンの構造を後述する。
【００２６】
梯子基本部材１０１は、一対の筒状支柱体１１０と、筒状支柱体１１０の間に設けられた横桟１２０を備えた構造となっている。筒状支柱体１１０の上方に横桟１２０と内側膨出部１１１が設けられており、筒状支柱体１１０の下方に外側膨出部１１２が設けられている。また、吊下梯子１００全体としては、基本構成単位である梯子基本部材１０１のほか、伸縮操作体１５０、掛止具１７０、把持部１８０を備えている。
この構成例では、基本単位の梯子基本部材１０１は８段で構成され、横桟の数で言えば最下段のものも含めて１０段設けられている例である。この構成例では筒状支柱体１１０の上部には把持部１８０が設けられている。
【００２７】
以下、各構成要素を説明する。
筒状支柱体１１０は、図１に示すように、所定の間隔を隔てて互いに平行に配置された一対の支柱体である。素材は、アルミニウムなどの軽金属で構造的強度が強い素材で形成することが好ましい。
各々の梯子基本部材１０１にはある程度の剛性・強度が必要である。梯子基本部材１０１は作業個所において吊下梯子として作業者の昇降を支える機械的強度が必要となるからである。また、作業員が多少の重量の荷物も担った状態で昇降することもあり得るため、その荷重にも耐える必要がある。
梯子基本部材１０１ごとの筒状支柱体１１０の長さは特に限定されないが、人間が一段ずつ昇降する際の歩幅に適切な長さであれば良い。
【００２８】
なお、最上段の梯子基本部材１０１の筒状支柱体１１０には、後述する掛止具１７０が設けられている。また、この例では、最上段の梯子基本部材１０１の筒状支柱体１１０の高さは掛止具１７０の位置よりも上方に向けて把持部１８０が延設されている。
【００２９】
横桟１２０は、筒状支柱体１１０の間に設けられた横架された部材であり、作業者が昇降時に足を載せ置く部分である。横桟１２０は吊下梯子１００の梯子１段分となっている。この例では、梯子基本部材１０１の筒状支柱体１１０の上端付近同士を横桟１２０が結ぶ形で設けられた例となっている。
横桟１２０の素材は、アルミニウムなどの軽金属で構造的強度が強い素材で形成することが好ましい。横桟１２０にはある程度の剛性・強度が必要である。作業者の昇降を支える機械的強度が必要となるからである。また、作業員が多少の重量の荷物も担った状態で昇降することもあり得るため、その荷重にも耐える必要がある。
横桟１２０の横方向の長さは特に限定されないが、作業員が１人ずつ昇降することを前提としたものであれば、少なくとも人間の腰幅程度の長さは必要である。
【００３０】
次に、伸縮操作体１５０について説明する。
伸縮操作体１５０としては、梯子本体の重量の引張に耐え得る構造的強度を持ち、昇降させやすい素材であれば良い。例えば、丈夫な鋼鉄製のワイヤーやチェーン、丈夫な紐体などがある。これらは十分な構造的強度を持つよう選択すれば、梯子本体の重量の引張に耐え得るものとなり、さらに繰り出し、巻き取りなどを通じて長さを比較的簡単に変化させることができる。
伸縮操作体１５０は、梯子基本部材１０１の摺動を操作できるよう配線されたものであり、梯子本体の筒状支柱体１１０の中空の内部を通り、最下段の梯子基本部材１０２にまで到達するよう配線されている。
伸縮操作体１５０の配線には、図３（ｃ）に示すように、幾つかのパターンがある。
例えば、図３（ｃ）左側に示すように、伸縮操作体１５０が左右１本ずつあり、左右一対の伸縮操作体１５０を、それぞれ梯子本体の筒状支柱体１１０の中空の内部空間を通して下方に導き、伸縮操作体１５０のそれぞれの先端を、摺動可能な最下段の梯子基本部材１０２のどこか一部に接続したものである。伸縮操作体１５０のそれぞれの先端が最下段の梯子基本部材１０２のどこか一部に接続されているので、伸縮操作体１５０を緩めると最下段の梯子基本部材１０２が下方に下がり、伸縮操作体１５０を引き上げると最下段の梯子基本部材１０２が上方に上がるように操作することができる。
【００３１】
また、例えば、図３（ｃ）右側に示すように、伸縮操作体１５０が左右１本ずつあり、左右一対の伸縮操作体１５０を、それぞれ梯子本体の筒状支柱体１１０の中空の内部空間を通して下方に導き、最下段の梯子基本部材の横桟１２０の中において、互いに結ばれるよう接続する配線である。この場合は、最下段の梯子基本部材１０２のどこか一部に直接接続されている訳ではないが、伸縮操作体１５０を緩めると最下段の梯子基本部材１０２が下方に下がり、伸縮操作体１５０を引き上げると最下段の梯子基本部材１０２が上方に上がるように操作することができる。
【００３２】
伸縮操作体１５０は作業員の人手で昇降しても良いが、図示しないウィンチなどの機械的駆動装置で昇降しても良い。
この伸縮操作体１５０を介して、吊下梯子１００の伸長、短縮を操作する。
【００３３】
次に、掛止具１７０について説明する。
掛止具１７０は、梯子本体１１０を吊下箇所から吊り下げるために掛け止めする部材である。掛止具１７０の形状は、掛けやすいものであれば特に限定されないが、この構成例ではコの字型をしており、マンホール等の開口の縁に対して掛け止めしやすい構造をしている。
【００３４】
次に、把持部１８０について説明する。
吊下箇所に吊下された梯子を利用して昇降しやすいように、筒状支柱体が掛止具１７０の高さより高い位置まで上方に延設された構成とし、当該延設箇所に作業員が把持するための把持部１８０を設けることが好ましい。このように最上段の梯子基本部材１０１の筒状支柱体１１０を上方に向けて把持部１８０を延設しておけば、作業者が把持部１８０を把持すれば安全が確保されやすく、作業効率も向上するというメリットがある。
以上が、各構成の説明である。
【００３５】
次に、梯子基本部材１０１同士の摺動について説明する。本発明では伸縮操作体１５０を操作することにより、梯子基本部材１０１同士の摺動を制御する。
まず、各々の梯子基本部材１０１の入れ子状態について説明する。
最上段の梯子基本部材１０１から最下段の梯子基本部材１０２にかけてそれらの筒状支柱体１１０の筒部の径の大きさが順次大きくなるように設けられており、それらが入れ子式になっており筒状支柱体１１０の筒軸線方向に摺動可能に順次接続されたものとなっている。つまり、当段の梯子基本部材１０１の筒状支柱体１１０に対してその直下にある下段の梯子基本部材１０１の筒状支柱体１１０は筒部の大きさが一回り大きいものとなっており、入れ子式になっている。
つまり、図１（ｂ）に示すように、当段の梯子基本部材１０１の筒状支柱体１１０の筒部は、下段の梯子基本部材１０１の筒状支柱体１１０の筒部に対して摺動して出し入れできるようになっており、下方に引き出すことにより伸長状態となり、上方に押し込むことにより短縮状態となる。各段の梯子基本部材１０１がすべて短縮状態となった場合、吊下梯子１００全体が短縮収納状態となり、各段の梯子基本部材１０１がすべて伸長状態となった場合、吊下梯子１００全体も伸長状態となる。
【００３６】
図２は、図１（ｂ）に示した内側の梯子基本部材１０１の筒状体１１０の下部付近の外側膨出部１１２と、外側の梯子基本部材１０１の筒状体１１０の上部付近の内側膨出部１１１との係止について説明する図である。
図２は、内側の梯子基本部材１０１は下部付近の外側膨出部１１２を中心に描かれている。また外側の梯子基本部材１０１は上部付近の内側膨出部１１１を中心に描かれている。なお、本発明では、内部の中空には伸縮操作体１５０が上下に貫いているが、吊下箇所から最下段の梯子基本部材１０２につながれており、図２の係止の動きには直接関係はない。
【００３７】
図２左側図に示すように、内側の梯子基本部材１０１の筒状体１１０は、吊下により支持固定されている状態となっている。この内側の梯子基本部材１０１の筒状体１１０に対して、外側から入れ子となるように、径の大きな下側の梯子基本部材１０１の筒状体１１０が摺動可能になっている。
内側の梯子基本部材１０１の筒状体１１０の下方には外壁面に盛り上がりがある。これが外側膨出部１１２である。また、外側の梯子基本部材１０１の筒状体１１０の上方には外壁面に絞りがある。これが内側膨出部１１１である。
【００３８】
図２中央図は内部の係止機構が分かりやすいように断面で示した図である。図２中央図に見るように、内側の筒状体１１０の外側膨出部１１２の径は膨らんで大きくなっている。一方、外側の筒状体１１０の内側膨出部１１１の径は絞られて小さくなっている。
【００３９】
図２右側図に示すように、内側の梯子基本部材１０１の筒状体１１０に対して径の大きな外側の梯子基本部材１０１の筒状体１１０が下方に摺動してゆくとやがて内側膨出部１１１と外側膨出部１１２が衝突して係止し、それ以上下方へ摺動できないようになっている。
このように、吊下により支持固定されている内側の梯子基本部材１０１の筒状体１１０に対して、外側の梯子基本部材１０１の筒状体１１０の摺動が制限されて支持固定状態となる。
【００４０】
次に、本発明の吊下梯子１００の利用の手順について図３および図４を参照しつつ説明する。
図３は、吊下梯子１００全体が伸長する様子を示す図である。
図３は、短縮収納状態にある吊下梯子１００を吊下箇所に吊下して短縮収納状態から展開して伸長使用状態とする手順を説明する図である。
作業員等は、短縮収納状態にある本発明の吊下梯子１００を運搬して吊下箇所に搬入し、作業個所となるマンホールの縁など吊下箇所において掛止具１７０を介して本発明の吊下梯子１００を吊下する。
【００４１】
作業員は、図３（ａ）の状態に示すように、掛止具１７０を介して吊下している吊下梯子１００の伸縮操作体１５０を緩めてゆく。
伸縮操作体１５０の先端は、摺動可能な最下段の梯子基本部材１０２に接続されている。この例では、最下段の横桟は固定横桟１２１となっており、摺動できる最下段の梯子基本部材１０２は図示したように下側の横桟２段分が一塊となっている。
図３（ａ）から図３（ｂ）に示すように、伸縮操作体１５０を徐々に緩めてゆくと、最下段の梯子基本部材１０２が下降してゆき、図３（ｂ）の状態では、上の４段分の基本部材１０１が伸長状態となっており、最下段の梯子基本部材１０２がさらに下降しつつある。
図３（ｂ）の右図に示すように、各段の梯子基本部材１０１同士の連結部において、図２に示したような摺動と係止が作動し、上段から順次梯子基本部材１０１同士が伸長してゆく。その連結部においては図３右図に示すように、内側膨出部１１１と外側膨出部１１２が衝突して係止し、それ以上下方へ摺動できないようになっている。
【００４２】
次に、短縮状態への変化について述べる。
図４は、伸長使用状態にある吊下梯子１００を回収して短縮収納状態に変化させる手順を説明する図である。
図４（ａ）から図４（ｂ）に示すように、伸縮操作体１５０を徐々に引き上げてゆくと、最下段の梯子基本部材１０２が上昇してゆき、図４（ｂ）の状態では、上の４段分の基本部材１０１を押し上げて短縮状態とし、最下段の梯子基本部材１０２がさらに上昇しつつある。
図４（ｂ）の右図に示すように、各段の梯子基本部材１０１同士の連結部において、図２の逆側の流れ、つまり、図２左図から図２右図に示すように、吊下により支持固定されている内側の梯子基本部材１０１の筒状体１１０に対して、外側の梯子基本部材１０１の筒状体１１０が上側に摺動することは可能であり、短縮収納状態となる。つまり、連結部においては図４右図に示すように、内側膨出部１１１と外側膨出部１１２の係止が解かれ、上方へ摺動できる。このように、吊下梯子１００は全体として短縮する方向へ摺動でき、下段から順次梯子基本部材１０１同士が短縮してゆく。
このように、中空の筒状支柱体の内部を通って最下段の梯子基本部材１０２に接続された伸縮操作体１５０により最下段の梯子基本部材１０２の昇降を操作し、梯子本体の伸縮を操作することができる。
【実施例２】
【００４３】
図５は、実施例２にかかる伸長使用状態における吊下梯子１００の構成例を模式的に示す図である。
実施例２は、筒状支柱体同士の摺動において係止式の伸縮構造をもつものであり、梯子基本部材同士の筒状支柱体１１０の径が上段よりも下段の方が小さくなっているパターン（第２のパターン）である。
実施例２の構造も、実施例１と同様、伸長時には筒状支柱体同士の内部における係止構造で係止し、回収時には筒状支柱体内部に仕込まれた伸縮操作体１５０を介して摺動可能な最下段の基本梯子部材を引き上げて係止を開放しながら短縮状態にする構造例となっている。
図５（ａ）は伸長使用状態の吊下梯子１００の正面図（作業者が昇降する面）を示している。掛け止め具１７０は背面側に付いており、掛け止め具１７０以外は正面と背面は同様で良い。
【００４４】
梯子基本部材１０１は、一対の筒状支柱体１１０と、横桟１２０を備えた構造となっている点は実施例１と同様であるが、梯子基本部材１０１の構造は、実施例１の梯子基本部材１０１とは上下が逆になっている。つまり、筒状支柱体１１０の上方に外側膨出部１１２があり、筒状支柱体１１０の下方に横桟１２０と内側膨出部１１１が設けられている。吊下梯子１００全体としては、基本構成単位である梯子基本部材１０１のほか、伸縮操作体１５０、掛止具１７０、把持部１８０を備えている点も実施例１と同様であり、各構成要素の説明は省略する。
なお、伸縮操作体１５０は、中空の筒状支柱体の内部を通って最下段の梯子基本部材１０２に接続固定されるが、本実施例２では、梯子基本部材１０１の構造が実施例１の梯子基本部材１０１とは上下が逆になっているため、この構成例では、伸縮操作体１５０を安定的に接続固定する箇所として、固定横桟１２１を選択した例となっている。
伸縮操作体１５０の配線には、図７（ｃ）に示すように、幾つかのパターンがある。
例えば、図７（ｃ）左側に示すように、伸縮操作体１５０が左右１本ずつあり、左右一対の伸縮操作体１５０を、それぞれ梯子本体の筒状支柱体１１０の中空の内部空間を通して下方に導き、伸縮操作体１５０のそれぞれの先端を、最下段の梯子基本部材１０２の固定横桟１２１に接続したものである。伸縮操作体１５０のそれぞれの先端が最下段の梯子基本部材１０２の固定横桟１２１に接続されているので、伸縮操作体１５０を緩めると最下段の梯子基本部材１０２が下方に下がり、伸縮操作体１５０を引き上げると最下段の梯子基本部材１０２が上方に上がるように操作することができる。
また、例えば、図７（ｃ）右側に示すように、伸縮操作体１５０が左右１本ずつあり、左右一対の伸縮操作体１５０を、それぞれ梯子本体の筒状支柱体１１０の中空の内部空間を通して下方に導き、最下段の梯子基本部材の固定横桟１２１の中において、互いに結ばれるよう接続する配線である。この場合は、最下段の梯子基本部材１０２の固定横桟１２１に直接接続されている訳ではないが、伸縮操作体１５０を緩めると最下段の梯子基本部材１０２が下方に下がり、伸縮操作体１５０を引き上げると最下段の梯子基本部材１０２が上方に上がるように操作することができる。
【００４５】
実施例２にかかる各々の梯子基本部材１０１の入れ子状態について説明する。
最上段の梯子基本部材１０１から最下段の梯子基本部材１０２にかけてそれらの筒状支柱体１１０の筒部の径の大きさが順次小さくなるように設けられており、それらが入れ子式になっており筒状支柱体１１０の筒軸線方向に摺動可能に順次接続されたものとなっている。つまり、当段の梯子基本部材１０１の筒状支柱体１１０に対してその直下にある下段の梯子基本部材１０１の筒状支柱体１１０は筒部の大きさが一回り小さいものとなっており、入れ子式になっている。
つまり、図５（ｂ）に示すように、当段の梯子基本部材１０１の筒状支柱体１１０の筒部は、下段の梯子基本部材１０１の筒状支柱体１１０の筒部内から摺動して出し入れできるようになっており、下方に引き出すことにより伸長状態となり、上方に押し込むことにより短縮状態となる。各段の梯子基本部材１０１がすべて短縮状態となった場合、吊下梯子１００全体が短縮収納状態となり、各段の梯子基本部材１０１がすべて伸長状態となった場合、吊下梯子１００全体も伸長状態となる。
【００４６】
図６は、図５（ｂ）に示した外側の梯子基本部材１０１の筒状体１１０の下部付近の内側膨出部１１１と、内側の梯子基本部材１０１の筒状体１１０の上部付近の外側膨出部１１２との係止について説明する図である。
図６は、外側の梯子基本部材１０１は下部付近の内側膨出部１１１を中心に描かれている。また内側の梯子基本部材１０１は上部付近の外側膨出部１１２を中心に描かれている。なお、本発明では、内部の中空には伸縮操作体１５０が上下に貫いているが、吊下箇所から最下段の梯子基本部材１０２につながれており、図６の係止の動きには直接関係はない。
【００４７】
図６左側図に示すように、最上段の梯子基本部材１０１の第１の筒状体１１０は、吊下により支持固定されている状態となっている。この上側の梯子基本部材１０１の第１の筒状体１１０に対して、中から入れ子となるように、径の小さな下側の梯子基本部材１０１の筒状体１１０が摺動可能になっている。
外側の梯子基本部材１０１の第１の筒状体１１０の上方には外壁面に盛り上がりがある。これが外側膨出部１１２である。また、内側の梯子基本部材１０１の筒状体１１０の下方には外壁面に絞りがある。これが内側膨出部１１１である。
【００４８】
図６中央図は内部の係止機構が分かりやすいように断面で示した図である。図６中央図に見るように、内側の筒状体１１０の外側膨出部１１２の径は膨らんで大きくなっている。一方、外側の筒状体１１０の内側膨出部１１１の径は絞られて小さくなっている。
【００４９】
図６右側図に示すように、外側の梯子基本部材１０１の筒状体１１０の内側膨出部１１１に対して径の小さな内側の梯子基本部材１０１の筒状体１１０が下方に摺動してゆくとやがて内側膨出部１１１と外側膨出部１１２が衝突して係止し、それ以上下方へ摺動できないようになっている。
このように、吊下により支持固定されている外側の梯子基本部材１０１の筒状体１１０に対して、内側の梯子基本部材１０１の筒状体１１０の摺動が制限されて支持固定状態となる。
【００５０】
次に、本発明の吊下梯子１００の利用の手順について図７および図８を参照しつつ説明する。
図７は、実施例２にかかる吊下梯子１００全体が伸長する様子を示す図である。
図７は、短縮収納状態にある吊下梯子１００を吊下箇所に吊下して短縮収納状態から展開して伸長使用状態とする手順を説明する図である。
作業員等は、短縮収納状態にある本発明の吊下梯子１００を運搬して吊下箇所に搬入し、作業個所となるマンホールの縁など吊下箇所において掛止具１７０を介して本発明の吊下梯子１００を吊下する。
【００５１】
作業員は、図７（ａ）の状態に示すように、掛止具１７０を介して吊下している吊下梯子１００の伸縮操作体１５０を緩めてゆく。
伸縮操作体１５０の先端は、摺動可能な最下段の梯子基本部材１０２に接続されている。この例では、最下段の横桟は固定横桟１２１となっており、摺動できる最下段の梯子基本部材１０２は図示したように下側の横桟２段分が一塊となっている。
図７（ａ）から図７（ｂ）に示すように、伸縮操作体１５０を徐々に緩めてゆくと、最下段の梯子基本部材１０２が下降してゆき、図７（ｂ）の状態では、上の４段分の基本部材１０１が伸長状態となっており、最下段の梯子基本部材１０２がさらに下降しつつある。
図７（ｂ）の右図に示すように、各段の梯子基本部材１０１同士の連結部において、図６に示したような摺動と係止が作動し、上段から順次梯子基本部材１０１同士が伸長してゆく。その連結部においては図７右図に示すように、内側膨出部１１１と外側膨出部１１２が衝突して係止し、それ以上下方へ摺動できないようになっている。
【００５２】
次に、短縮状態への変化について述べる。
図８は、伸長使用状態にある吊下梯子１００を回収して短縮収納状態に変化させる手順を説明する図である。
図８（ａ）から図８（ｂ）に示すように、伸縮操作体１５０を徐々に引き上げてゆくと、最下段の梯子基本部材１０２が上昇してゆき、図８（ｂ）の状態では、上の４段分の基本部材１０１を押し上げて短縮状態とし、最下段の梯子基本部材１０２がさらに上昇しつつある。
図８（ｂ）の右図に示すように、各段の梯子基本部材１０１同士の連結部において、図６の逆側の流れ、つまり、図６左図から図６右図に示すように、吊下により支持固定されている外側の梯子基本部材１０１の第１の筒状体１１０に対して、内側の梯子基本部材１０１の第２の筒状体１１０が上側に摺動することは可能であり、短縮収納状態となる。つまり、連結部においては図８右図に示すように、内側膨出部１１１と外側膨出部１１２の係止が解かれ、上方へ摺動できる。このように、吊下梯子１００は全体として短縮する方向へ摺動でき、下段から順次梯子基本部材１０１同士が短縮してゆく。
【実施例３】
【００５３】
実施例３として、筒状支柱体同士の摺動においてロック式の伸縮構造をもち、回収時に、筒状支柱体内部に仕込まれた伸縮操作体を介して、摺動可能な最下段の基本梯子部材を引き上げてロックを外しながら短縮状態にする構造例を説明する。
伸長時には筒状支柱体同士をロックするロック機構でロックを掛けて固定し、回収時にはロック解除機構を外部から操作してロック機構のロックを解除して摺動可能とする。
【００５４】
図９は、実施例３にかかる伸長使用状態における吊下梯子１００の構成例を模式的に示す図である。
図９（ａ）は伸長使用状態の吊下梯子１００の正面図（作業者が昇降する面）を示している。図９（ｂ）は同背面図である。掛け止め具１７０は背面側に付いており、掛け止め具１７０以外は正面と背面は同様で良い。
本発明の吊下梯子１００は、実施例１の図１や実施例２の図５と同様、梯子基本部材１０１を基本単位として上下方向に複数個を連続的に組み合わせたものとなっており、梯子基本部材１０１の筒状支柱体１１０は筒軸線方向に入れ子状態で摺動可能に順次接続したものとなっている。
【００５５】
実施例１や実施例２で述べたように、筒状支柱体１１０は筒軸線方向に入れ子の接続は、下側に行くほど筒状支柱体１１０の径が大きくなる第１のパターンと、下側に行くほど筒状支柱体１１０の径が小さくなる第２のパターンがあるが、本実施例３のロック式の伸縮構造は、そのどちらでも適用可能である。ここでは一例として、実施例１に示したように下側に行くほど筒状支柱体１１０の径が大きくなる第１のパターンのものとして説明するが、第２のパターンであっても良い。
実施例３にかかる梯子基本部材１０１は、一対の筒状支柱体１１０と、筒状支柱体１１０の間に設けられた横桟１２０と、ロック機構１３０と、ロック解除機構１４０を備えた構造となっている。内側膨出部１１１や外側膨出部１１２は必須ではないが、設置しておいても良い。
吊下梯子１００全体としては、基本構成単位である梯子基本部材１０１のほか、伸縮操作体１５０、掛止具１７０、把持部１８０を備えている。
この構成例では、基本単位の梯子基本部材１０１は８段で構成され、横桟の数で言えば最下段のものも含めて１０段設けられている例である。この構成例では筒状支柱体１１０の上部には把持部１８０が設けられている。
【００５６】
以下、各構成要素を説明するが、この実施例３では、ロック式の伸縮構造、つまり、ロック機構１３０と、ロック解除機構１４０と、それらと伸縮操作体１５０との関係を中心に説明するものとし、実施例１や実施例２で説明したその他の構成要素についてはここでの説明を省略する。
ロック機構１３０は、各段の梯子基本部材１０１同士の連結部において、伸長使用状態となったことを契機として梯子基本部材１０１同士の摺動を一時的にロックするロック機構である。
ロック機構１３０は、最下段の固定横桟１２１を除く、各段の横桟１２０の内部に仕込まれている。
ロック解除機構１４０は、外部からの操作を契機としてロック機構１３０のロック状態を解除し、梯子基本部材同士を摺動可能にする機構である。
ロック解除機構１４０は、最下段の固定横桟１２１を除く、各段の横桟１２０の内部に仕込まれているが、ロック解除機構１４０のうち後述する図１０および図１１に示すレバー構造体１４１が横桟１２０の下面から突出する構造は、最下段の固定横桟１２１の２段上以上に設けられている。また、ロック解除機構１４０のうち後述する図１２に示すレバー構造体１４１が横桟１２０の下面から突出しない構造は、最下段の固定横桟１２１の１段上にのみ設けられている。
【００５７】
図１０は、吊下梯子１００の展開時における、梯子基本部材１０１の接合部分のロック機構１３０によりロックが掛かる仕組みを簡単に示す図である。
図１１は、吊下梯子１００の回収時における、梯子基本部材１０１の接合部分のロック解除機構１４０によりロック機構１３０のロックを解除する仕組みを簡単に示す図である。
図１２は、最下段のロック機構１３０を伸縮操作体１５０で操作してロックを解除する仕組みを簡単に示す図である。
なお、図１０〜図１２は、横桟１２０の左端部と対向する筒状支柱体１１０の一部が示されており、内部の構造が分かりやすいように一部が断面図で示されている。当段の筒状支柱体１１０の方がその径が大きくなっており、上段の筒状支柱体１１０は当段の筒状支柱体１１０の中に入れ子式で入り込んでいる。
なお、図示していないが、横桟１２０の右端部にも図１０〜図１２とは左右対称の同様の構造が設けられている。
【００５８】
ロック機構１３０およびロック解除機構１４０を説明する。
図１０に示すように、横桟１２０の左端部の内部には、突出可能に付勢された嵌入ピン１３１と付勢バネ１３２が設けられており、筒状支柱体１１０の一部には、嵌入孔１１３が形成されている。このように、嵌入ピン１３１は左向きに付勢が付けられており、嵌入孔１１３の位置にくると突出して挿通可能に形成されている。
また、嵌入ピン１３１の一部には、ロック解除機構１４０が回動接合部１４３を介して回動可能に接続されている。嵌入ピン１３１の動作は左右水平方向にスライドする動作であるが、図１１に示すように、ロック解除機構１４０は回動接合部１４３および回動軸１４２を介して垂直面内の回転動作に変換され、レバー構造体１４１が反時計回りに回転して下方に突出したり時計回りに回転して上方に収納されたりする動作となる。
【００５９】
まず、ロック機構１３０によりロックが掛かる仕組みを詳しく説明する。
図１０（ａ）に示すように、梯子基本部材１０１が伸縮操作体１５０を緩めることにより下降して行く中、嵌入ピン１３１の先端が嵌入孔１１３に至ると、図１０（ｂ）に示すように、付勢バネ１３２の付勢力により嵌入ピン１３１が突出し、嵌入孔１１３に嵌入するようになっている。そのため、図１０（ｂ）に示すように、嵌入孔１１３がある位置に嵌入ピン１３１が来れば、付勢バネ１３２の付勢により嵌入ピン１３１が突出し、図１０（ｃ）に示すように、嵌入ピン１３１の先端が嵌入孔１１３内に嵌入し、梯子基本部材１０１が伸長使用状態において摺動不能に固定されることとなる。
【００６０】
この一連の動きの中で、ロック解除機構１４０は回動接合部１４３を介して嵌入ピン１３１と連動しており、回動軸１４２を支点として垂直方向に回転し、レバー構造体１４１が下方に突出する動作を行うようになっている。
なお、この図１０は横桟１段分の動きのみを示しているが、吊下梯子１００が伸縮操作体１５０の緩めにより最下段の梯子基本部材１０２が下降し、それに合わせて各段の梯子基本部材１０１が下降してゆく中、各段の横桟１２０において図１０に示したロック機構１３０によるロックが次々と掛かって伸長使用状態となる。
【００６１】
次に、吊下梯子１００の回収時の各段におけるロック解除機構１４０による横桟のロックを外す仕組みについて説明する。なお、最下段のロック機構１３０に対する伸縮操作体１５０を介したロック解除操作については後述する。
吊下梯子１００の使用の終了時点では、図１１（ａ）に示すように、付勢バネ１３２により嵌入ピン１３１が左側の筒状支柱体１１０の嵌入孔１１３に押し込まれた状態が維持され、ロックが掛かっている。
【００６２】
ここで、図１１（ｂ）に示すように、外部からレバー構造体１４１が上方に押し上げられる操作を契機として、ロック解除機構１４０が時計回りに回動軸１４２を中心として回転し、嵌入ピン１３１と連動している回動接合部１４３が梃子の作用点として中心側に移動し、嵌入ピン１３１が連動して中心側にスライド移動し、その結果、ロック機構１３０のロック状態が解除される。
ここで、図１１（ｂ）には図示されていないが、後述するように、下方から下段の横桟１２０が上昇してレバー構造体１４１に対して衝突することにより、レバー構造体１４１が上方に押し上げられる操作となる。
【００６３】
ロック解除機構１４０によりロック機構１３０のロックが解除されると、図１１（ｃ）に示すように、当段の横桟１２０は筒状支柱体１１０に対して摺動可能となる。ここでは、伸縮操作体１５０の引き上げが続いており、下方から上に引き上げる力が働いているので、そのまま当段の梯子基本部材１０１が上昇してゆく。
【００６４】
次に、最下段の固定横桟１２１の１段上の横桟１２０内にあるロック機構１３０に対する、伸縮操作体１５０を介したロック解除機構１４０によるロック解除の仕組みを説明する。ここで、最下段のロック機構１３０とそれに対応するロック解除機構１４０は、最下段の固定横桟１２１の１段上の横桟１２０に設けられている。
図１２は、最下段のロック機構１３０に対する伸縮操作体１５０を介したロック機構１３０のロック解除の仕組みを簡単に示す図である。
図１２（ａ）に示すように、左右一対の伸縮操作体１５０の先端は、最下段の梯子基本部材１０２の横桟１２０内に導かれた後、クロスして、左右反対側の嵌入ピン１３１に強固に連接されている。つまり、右側の伸縮操作体１５０は、右側の筒状体１１０の内部の中空を通って最下段の梯子基本部材１０２に到達した後、横桟１２０の内部を通って、左側の嵌入ピン１３１の根元に強固に連接されている。なお、左側の伸縮操作体１５０については図示していないが、その先端は右側の嵌入ピン１３１の根元に強固に連接されている。
この最下段のロック機構１３０に対するロックを解除する図１２のロック解除機構１４０は、嵌入ピン１３１の端部における伸縮操作体１５０との接続構造となっている。
【００６５】
最下段のロック機構１３０に対するロック解除機構１４０を介して、図１２（ｂ）に示すように、それぞれの伸縮操作体１５０を中央側に引っ張ることにより両端の左右の嵌入ピン１３１をそれぞれ引き戻すことができ、ロック機構のロック状態を同時に解除できる構造となっている。
嵌入ピン１３１が外されると、図１２（ｃ）に示すように、最下段の梯子基本部材１０２は摺動可能となり、引き続き伸縮操作体１５０を引き続き引き上げ続けると、最下段の梯子基本部材１０２が上方へ摺動してゆく。
【００６６】
次に、実施例３にかかる吊下梯子１００の利用の手順について図１３および図１４を参照しつつ説明する。
図１３は、短縮収納状態にある吊下梯子１００を吊下箇所に吊下して短縮収納状態から展開して伸長使用状態とする手順を説明する図である。
作業員等は、短縮収納状態にある本発明の吊下梯子１００を運搬して吊下箇所に搬入し、作業個所となるマンホールの縁など吊下箇所において掛止具１７０を介して本発明の吊下梯子１００を吊下する。
【００６７】
作業員は、図１３（ａ）の状態に示すように、掛止具１７０を介して吊下している吊下梯子１００の伸縮操作体１５０を緩めてゆく。
各段の梯子基本部材１０１は、まだロック機構１３０が作動していないため、筒状支柱体１１０同士が摺動し合い、重力により落下を開始して下方に伸長してゆく。
図１３（ｂ）は、伸縮操作体１５０を緩めて吊下梯子１００を伸長してゆく途中段階の様子を示した図である。
各段の梯子基本部材１０１は伸縮操作体１５０の緩めに従って下方にスライドしてゆくが、その過程において、上段側にある梯子基本部材１０１から徐々にロック機構１３０のロックが掛かってゆく。つまり、筒状支柱体１１０同士の摺動により横桟１２０のロック機構１３０の嵌入ピン１３１が上段側の筒状支柱体１１０の嵌入孔１１３に到達すれば、図１０（ａ）から図１０（ｃ）に示した流れに従って、嵌入ピン１３１が上段側の筒状支柱体１１０の嵌入孔１１３に突出して嵌入し、ロックがかかって固定されてゆく。
【００６８】
図１３（ｃ）は、すべての梯子基本部材１０１が伸長し、すべての横桟１２０の筒状支柱体１１０に対するロックがかかり、伸長使用状態となった様子を示す図である。
このように、図１３（ａ）から図１３（ｃ）の流れに従って、短縮収納状態にある吊下梯子１００が展開して伸長使用状態となる。
【００６９】
次に、作業個所における吊下梯子１００の使用が終了し、伸長使用状態にある吊下梯子１００を短縮収納状態にする手順を説明する。
図１４は、伸長使用状態にある吊下梯子１００を回収して短縮収納状態に変化させる手順を説明する図である。
作業員等は、マンホールなどの作業個所で吊下梯子１００の使用が終了すれば、作業者全員が吊下梯子１００を上って吊下箇所に移動した後、本発明の吊下梯子１００を回収するべく、回収作業を始める。
【００７０】
作業員は、図１４（ａ）の状態に示すように、吊下箇所において伸縮操作体１５０を操作して引く。図１２に示した動作により、伸縮操作体１５０が接続されているロック機構１３０の嵌入ピン１３１が外れ、図１２（ａ）から図１２（ｃ）に示すように、最下段の梯子基本部材１０２のロック機構１３０が外れ、最下段の梯子基本部材１０２が摺動可能となる。
【００７１】
図１４（ｂ）に示すように、最下段の梯子基本部材１０２が摺動して上昇し、１つ上段の横桟１２０の下面に突出していたレバー構造体１４１に衝突して押し上げ、ロック解除機構１４０の作動によりロック機構１３０のロックが外れる。
各段の梯子基本部材１０１のロック機構１３０のロックが解除されると、次々と梯子基本部材１０１が摺動可能となり、引き上げられて上昇してゆく。
【００７２】
図１４（ｃ）は、伸縮操作体１５０を引き上げて吊下梯子１００を短縮してゆく途中段階の様子を示した図である。
各段の梯子基本部材１０１は伸縮操作体１５０の引き上げに従って上方にスライドして上昇してゆくが、その過程において、１つ上段側にある梯子基本部材１０１のロック解除機構１４０によりロック機構１３０のロックを次々と外してゆく。つまり、図１１（ａ）から図１１（ｃ）に示した流れに従って、筒状支柱体１１０同士の摺動により横桟１２０の上面が、１つ上段の横桟１２０の下面から突出しているレバー構造体１４１を押し上げてロック機構１３０のロックを外してゆく。
【００７３】
図１４（ｄ）は、すべての梯子基本部材１０１が短縮し、短縮収納状態となった様子を示す図である。
このように、図１４（ａ）から図１４（ｄ）の流れに従って、伸長使用状態にある吊下梯子１００が収縮して短縮収納状態となる。
【００７４】
以上、本発明の好ましい実施例を図示して説明してきたが、本発明の技術的範囲を逸脱することなく種々の変更が可能であることは理解されるであろう。従って本発明の技術的範囲は添付された特許請求の範囲の記載によってのみ限定されるものである。
【産業上の利用可能性】
【００７５】
本発明の吊下梯子は、マンホールなどの作業個所で吊下する作業用の吊下梯子として、また、列車の車両の異常事態における車両から脱出する避難用の吊下梯子や、マンションやホテルなどのベランダから異常時に避難する避難用の吊下梯子として広く適用することができる。
【符号の説明】
【００７６】
１００  吊下梯子
１１０  筒状支柱体
１２０  横桟
１３０  ロック機構
１４０  ロック解除機構
１５０  伸縮操作体
１７０  掛止具
１８０  把持部
【図１】
2019112777.tif 000003
【図２】
2019112777.tif 000004
【図３】
2019112777.tif 000005
【図４】
2019112777.tif 000006
【図５】
2019112777.tif 000007
【図６】
2019112777.tif 000008
【図７】
2019112777.tif 000009
【図８】
2019112777.tif 000010
【図９】
2019112777.tif 000011
【図１０】
2019112777.tif 000012
【図１１】
2019112777.tif 000013
【図１２】
2019112777.tif 000014
【図１３】
2019112777.tif 000015
【図１４】
2019112777.tif 000016
【図１５】
2019112777.tif 000017